Podtech/llm-jp-corpus-v4-ja_patent huggingface dataset:
(57)【要約】【課題】創薬用試料を封入する容器の側面に貼付したバーコードを素早く読み取ることが可能な創薬用バーコード読み取り装置を提供すること。【解決手段】創薬用試料を封入する容器４０の側面に貼付されたバーコード５０を読み取る創薬用バーコード読み取り装置において、容器の背後に２枚の反射鏡１０，２０を所定の角度開いて設置し、バーコードリーダ６０により容器に貼付されたバーコード５０と、反射鏡に投影されたバーコードの双方を同時に読み取ることにより、上記の課題を解決する。【選択図】図１
2005338938.tif 000002
【特許請求の範囲】
【請求項１】
創薬用試料を封入する容器の側面に貼付されたバーコードを読み取る創薬用バーコード読み取り装置において、
前記容器の背後に２枚の反射鏡を所定の角度開いて設置し、
バーコードリーダにより前記容器に貼付されたバーコードと、前記反射鏡に投影されたバーコードの双方を同時に読み取ることを特徴とする創薬用バーコード読み取り装置。
【発明の詳細な説明】
【技術分野】
【０００１】
本発明は、創薬業界において新薬の開発・検査・分析等を行うときに、試料を保管・抽出するための容器に貼付されたバーコードを読み取るための創薬用バーコード読み取り装置に関する。
【背景技術】
【０００２】
従来、創薬研究や化学物質の分析等において、試料を溶解した溶液を封入したマイクロチューブやバイアル瓶と呼ばれる長尺状容器を保管ラックに複数本、並び立てて収容し、保管や搬送を行っている。そして、それぞれの容器にどのような試料を封入したのか、且つ、それぞれの保管ラックに、どのような容器を収容しているのかを識別するために、容器及び保管ラックの側面にバーコードを貼付し、それを一次元ラインセンサを備えたハンディタイプのコードリーダーを使って読み取り、その結果をコンピュータに取り込み、管理することが行われていた（例えば、特許文献１参照）。
【０００３】
【特許文献１】特開平９−３１９８１５号公報
【発明の開示】
【発明が解決しようとする課題】
【０００４】
ところが、容器、特にバイアル瓶の側面に標準仕様のバーコードラベルを貼付する場合、容器の外周面の略３分の１にしかバーコードが存在しない。そのため、バーコードを読み取るためには、バーコードリーダの前面で容器を回転させたり、容器を固定保持しておいて、その周囲でバーコードリーダを回転させたり、複数台のバーコードリーダを用いて、違う方向から容器を撮像する等の対策が必要とされていた。
【０００５】
そこで、本発明の目的は、創薬用試料を封入する容器の側面に貼付したバーコードを素早く読み取ることが可能な創薬用バーコード読み取り装置を提供することにある。
【課題を解決するための手段】
【０００６】
請求項１に係る発明は、創薬用試料を封入する容器の側面に貼付されたバーコードを読み取る創薬用バーコード読み取り装置において、前記容器の背後に２枚の反射鏡を所定の角度開いて設置し、バーコードリーダにより前記容器に貼付されたバーコードと、前記反射鏡に投影されたバーコードの鏡像の双方を同時に読み取ることによって上記の目的を解決するものである。
【０００７】
ここで、２枚の反射鏡が作る「所定の角度」を９０度とすると、容器側面に貼付するバーコードの貼り付け角度が小さい場合であっても死角を作ることがないため好ましい。一方、バーコードの貼り付け角度が１８０度以上ある場合には、「所定の角度」を１８０度、すなわち反射鏡を１枚とすることも可能である。
【０００８】
なお、本発明における容器は、化合物等の試料を溶媒液に溶解したものを保管するマイクロチューブと呼ばれる小型円筒状容器や、粉末状の試料を収納するバイアル瓶と呼ばれる容器や試験管等、用途に応じて適宜選択することができる。
【発明の効果】
【０００９】
請求項１に係る創薬用バーコード読み取り装置は、創薬用試料を封入する容器の側面に貼付されたバーコードを読み取る創薬用バーコード読み取り装置において、前記容器の背後に２枚の反射鏡を所定の角度開いて設置し、バーコードリーダにより前記容器に貼付されたバーコードと、前記反射鏡に投影されたバーコードの鏡像の双方を同時に読み取る構成にしたため、容器をバーコードリーダの前で回転させる必要がなく、バーコード読み取り時間の短縮化、装置構成の簡略化が図られる。
【発明を実施するための最良の形態】
【００１０】
本発明の実施の形態の一例について図１に基づいて説明する。図１は、本発明の一実施例である創薬用バーコード読み取り装置の構成を示した概念図である。
【００１１】
この実施例においては、２枚の反射鏡１０，２０が９０度開いて垂設されている。そして、２枚の反射鏡の中心角を二等分する線上にピッキング装置３０により把持されたバイアル瓶４０が支持される。この状態で前面よりバーコードリーダ６０によってバイアル瓶４０に貼付されたバーコード５０を読み取る。その際、バイアル瓶４０の背後に９０度開いて垂設された２枚の反射鏡１０，２０にバイアル瓶４０の鏡像４２，４４が投影される。したがって、万一、バイアル瓶４０に貼付されたバーコード５０がバーコードリーダ６０の方を向いていない状態であっても反射鏡１０又は反射鏡２０の少なくとも一方には、バーコードが投影されるため、一回の読み取り操作で確実にバーコードを読み取ることが可能になる。
【００１２】
また、本発明の創薬用バーコード読み取り装置によれば、バーコードの貼り付け角度が小さくてもバーコードの読み取りが可能であるため、バーコードラベル上にバーコード以外の印字領域を広く確保することができ、作業者向け印字の領域を広く取ることができる。
【００１３】
さらに、ピッキング装置３０は、回転機構を設ける必要がないため、長寿命化が図れると共に安価にシステムを構成することができる。しかも、保管用ラックから搬送用ラックに容器を移載する際に、ピッキング装置によって把持された容器をバーコードリーダの前を通過させるだけで、バーコードの読み取りを行うことができるため、読み取り時間の短縮化が図られる。
【００１４】
なお、上述した実施例においては、２枚の反射鏡の中心角を二等分する線上にピッキング装置によりバイアル瓶を支持し、この状態で前面よりバーコードリーダによってバイアル瓶に貼付されたバーコードを読み取っているが、バイアル瓶の位置は、図２（ａ）〜（ｃ）に示したように、必ずしも２枚の反射鏡の中心角を二等分する線上である必要はなく、バーコードリーダの向きも必ずしも２枚の反射鏡の中心角を二等分する線にあわせる必要もない。さらに、容器の上面、底面に読み取りたい文字やコードが存在する場合は、それを投影する鏡を設置して、側面のバーコードと一緒に読み取らせることも可能である。
【図面の簡単な説明】
【００１５】
【図１】本発明の創薬用バーコード読み取り装置の構成を示した概念図である。
【図２】本発明の創薬用バーコード読み取り装置の別の実施の態様を示す概念図である。
【符号の説明】
【００１６】
１０，２０  ・・・  反射鏡
３０        ・・・  ピッキング装置
４０        ・・・  バイアル瓶
４２，４４  ・・・  バイアル瓶の鏡像
５０        ・・・  バーコード
６０        ・・・  バーコードリーダ
【図１】
2005338938.tif 000003
【図２】
2005338938.tif 000004
(57)【要約】【課題】  レジスト塗布した製品をアライナー等で露光する際は硝子マスクと製品が付着するため、マスクと塗布したレジストは一定の距離を持たせて露光するかレジストとマスクの間にフィルムをおいて露光を行う必要がある。該作業において、ラインアンドスペース１０μm以下の線幅の露光を行う場合、精度が出ない為に良好なパターンの回路形成が出来ないという問題点がでてくる。【解決手段】  半導体ウエハ上への回路パターンメッキの絶縁膜及びレジスト膜を精度よく露光するために製品とコンタクトさせても付着してしまわない露光用硝子マスクとその加工として、回路を露光する為の硝子マスク表面にパラフィンワックスあるいはマイクロクリスタリンワックスを薄くコートすることにより、硝子マスクがレジストを被覆した製品に直接接触させても付着することがなくなる。【選択図】  なし 【特許請求の範囲】
【請求項１】
ソーダ硝子、クオーツ硝子マスク上にパラフィンワックスあるいはマイクロクリスタリンワックスをコーテングしたマスク
【請求項２】
ソーダ硝子、クオーツ硝子マスク上にパラフィンワックスあるいはマイクロクリスタリンワックスを200乃至2000オングストロームの厚さでコーテングしたマスク
【請求項３】
パラフィンワックスあるいはマイクロクリスタリンワックスを硝子マスクにコーテン
グすることで粘着ある感光性膜に密着露光する方法。
【発明の詳細な説明】
【技術分野】
【０００１】
本発明は、表面処理分野に関するものである。
【背景技術】
【０００２】
ウエハーに再配線の回路を作る場合、塗布機によって、ウエハー上にレジストを塗布し、露光、現像してレジスト膜にめっき付けたい回路のみを露出するようにする。回路作成にはマスクを使用している。
【発明の開示】
【発明が解決しようとする課題】
【０００３】
現在はレジスト塗布した製品をアライナー等で露光する際は硝子マスクと製品が付着するため、マスクと塗布したレジストは一定の距離を持たせて露光するかレジストとマスクの間にフィルムをおいて露光を行う必要がある。
【０００４】
該作業において、ラインアンドスペース１０μm以下の線幅の露光を行う場合、精度が出ない為に良好なパターンの回路形成が出来ないという問題点がでてくる。
【課題を解決するための手段】
【０００５】
半導体ウエハ上への回路パターンメッキの絶縁膜及びレジスト膜を精度よく露光するために製品とコンタクトさせても付着してしまわない露光用硝子マスクとその加工として、回路を露光する為の硝子マスク表面にパラフィンワックスあるいはマイクロクリスタリンワックスを薄くコートすることにより、硝子マスクがレジストを被覆した製品に直接接触させても付着することがなくなる。
【発明の効果】
【０００６】
レジストを露光する場合、硝子マスクのパターンは出来るだけ製品に近くなることで良好な露光が可能となり、はっきりとした像を写すことが出来る。
【０００７】
本発明はレジストが多少ベタ付いた状態の液状レジストであってもマスクと密着さ
せた露光を可能とする。
【０００８】
また、ドライフィルム等においても保護膜をつけなくても密着露光が可能となり、今
迄以上の解像度の高い露光が可能となる。
【発明を実施するための最良の形態】
【０００９】
硝子マスクの製品に付着する面をアセトン等で十分に洗浄する。その上にパラフィン
ワックスあるいはマイクロクリスタリンワックスをコートする。コートしたワックスが
固まるまで放置する。余分に付着したワックス成分を完全に取り除き光の乱反射がない
ようにする。
【実施例】
【００１０】
50μm厚の感光性ポリイミド製版の場合に使用する機材を表1に示す。
【表１】
2005338272.tif 000002
【００１１】
硝子マスクの製品に付着する側にワックスを200乃至2000オングストローム塗り、効果するまで10乃至15分待つ。硬化したら表面に残った残渣物を全て無塵布で取り除く。その時微小な粉が表面に残らないところまできれいに除去する。
【００１２】
ワックスの厚さが200オングストローム以下では、硝子マスクをレジスト被覆した製品に直接接触させると、硝子マスクがレジスト被覆した製品に付着してしまう。また、ワックスの厚さが2000オングストローム以上になると露光時に光がワックスに吸収されて、露光時間がかかるとともに、解像度が劣化する。
【００１３】
製品に塗布機で均一に感光性ポリイミドをコーテングし、ポストベークした後、露光機のマスクホルダーにワックスを塗った硝子マスクを載せ、製品とマスクをアライメント後、コンタクト露光150mJから300mJで行う。
【００１４】
約1時間放置後、現像機噴流圧2から4Kg/mm2  により現像を行う。現像後キュアの為の250から350℃のベークを行い、ポリイミドを硬化させる。
【００１５】
硬化後CF4ガスを添加した並行平板プラズマ洗浄機で300W、3分により表面をドライエッチングし、残渣物の除去を行う。
【産業上の利用可能性】
【００１６】
ウエハーにポリイミドを多層に積層させていくとウエハーが反る現象があるため、マスクとポリイミドの間の隙間が大きくなり、解像度の高い露光が不可能となる。本発明は、密着露光が可能となるため、精度の高く、解像度の高い露光が可能となる。
(57)【要約】【課題】  親指根元部分（関節部）への圧力を小さく、均一とする事が可能で、違和感をなくし、ホールド性が向上させることを課題とする。【解決手段】  被写体像を撮像する撮像手段を有する撮像装置であって、前記撮像装置の底面と、前記撮像装置の隣接する２つの側面の３つの面に隣接する第４の平面を有することを特徴とする撮像装置。【選択図】  図１
2005338478.tif 000002
【特許請求の範囲】
【請求項１】
被写体像を撮像する撮像手段を有する撮像装置であって、前記撮像装置の底面と、前記撮像装置の隣接する２つの側面の３つの面に隣接する第４の平面を有することを特徴とする撮像装置。
【請求項２】
前記第４の平面は略３角形の形状をしていることを特徴とする請求項１記載の撮像装置。
【請求項３】
前記第４の平面の３つの稜線の各々は、曲線の部分を有することを特徴とする請求項２記載の撮像装置。
【請求項４】
前記第４の平面の３つの稜線で囲まれる形状が、弾性素材で形成されたことを特徴とする請求項２記載の撮像装置。
【請求項５】
前記弾性素材の一部は、接続端子カバーを兼ねることを特徴とする請求項４記載の撮像装置。
【発明の詳細な説明】
【技術分野】
【０００１】
本発明は外装カバーを手で保持するビデオカメラ等の撮像装置に関する。
【背景技術】
【０００２】
図３はビデオカメラの最も一般的な外観を示す図である。５０１は撮影用のレンズ、レンズ５０１の後端には不図示の撮像素子が取り付けられている。レンズ５０１の下部には不図示の記録装置が内蔵されている。５０２はＬＣＤモニタ、５０３はバッテリー取り付け部である。レンズ５０１によって捉えられた像が撮像素子によって光電変換されて電気信号となる。電気信号は不図示の信号処理回路で処理され、ＬＣＤモニタ５０２に表示されると共に、記録装置によってテープ等の記録媒体に記録される。
【０００３】
図４はビデオカメラ後方側の手で保持する部分の形状を説明する為の図である。図５で５１１は底面、５１２は後ろ側面、５１３は横側面である。３つの面の交差する稜線には手で保持する場合に角が当たらないように、それぞれ稜線Ｒが設けられている。５１４は操作スイッチであり、後ろ側面５１２上にあり、主に親指で操作することになる。この操作スイッチ５１４の位置により親指の位置がほぼ決定される。
【０００４】
ビデオカメラを右手で保持した場合に、親指先端が操作スイッチ５１４付近にあると共に、親指の根元部分（関節部）が前記３つの面の頂点付近（矢印で表示）に位置する。操作スイッチ５１４の位置を移動すれば、親指の根元部分（関節部）が３つの面の頂点付近にこないように設定する事も可能であるが、近年のビデオカメラの小型化により操作スイッチ５１４の位置が制限され移動は困難になってきている。
【０００５】
図５は図４の点線部分の断面形状を示した図であり、矢印は手に対しての圧力分布を示している。９０°で交差する部分にＲ（曲線）が設けられているが、手に対して圧力のピークポイントが存在する事がわかる（例えば、特許文献１）。
【特許文献１】特開２０００−１９６９２８号公報
【発明の開示】
【発明が解決しようとする課題】
【０００６】
上述した撮像装置にあっては以下のような課題があった。
【０００７】
手で保持した場合に親指の根元部分（関節部）に対して圧力のピークポイントが存在する為、手に違和感を感じ、撮影に集中できない事がある。
【０００８】
本発明は上述した撮像装置の有するこのような課題に鑑みてなされたものであり、その目的とするところは、親指根元部分（関節部）の違和感をなくし、ホールド性を向上させることにある。
【課題を解決するための手段】
【０００９】
上記課題を解決するために、被写体像を撮像する撮像手段を有する撮像装置であって、前記撮像装置の底面と、前記撮像装置の隣接する２つの側面の３つの面に隣接する第４の平面を有することを特徴とする撮像装置を提供する。
【発明の効果】
【００１０】
本発明によれば、親指根元部分（関節部）への圧力を小さく、均一とする事が可能で、違和感をなくし、ホールド性が向上する。
【発明を実施するための最良の形態】
【００１１】
以下、本発明の実施の形態を図面に基づき説明する。
【００１２】
図１は本実施の形態を示す図であり、ビデオカメラ後方側の手で保持する部分の形状を説明する為の図である。
【００１３】
１０１は底面、１０２は後ろ側面、１０３は横側面、１０４は第４の平面、１０５は弾性素材部であり、その一部１０５ａは接続端子カバーを形成している。１０６は操作スイッチで、主に親指先端で操作する。なお、外観を構成するレンズなどの要素、機能については図４で説明したものと同一である。
【００１４】
第４の平面１０４は三角形の形状になっていて、他の３面（底面１０１、後ろ側面１０２、横側面１０３）とは９０°より大きい角度（鈍角）で交差している。さらに４つの面の交差する稜線には、それぞれ稜線Ｒ（曲線）が設けられている。第４の平面１０４の交差角度と稜線Ｒの寸法は、様々な手の大きさの人によるパネルテストで実験、評価を行い、本実施例のビデオカメラの場合、角度は１２０°〜１５０°、稜線Ｒ寸法はＲ４ｍｍ以上と設定した。
【００１５】
右手でビデオカメラを保持した場合には、親指の根元部分（関節部）に、第４の平面１０４が設定される（矢印で表示）。
【００１６】
図２は、図１の点線部の断面形状を示した図であり、矢印は手に対しての圧力分布を示している。第４の平面１０４により、手で保持した場合に親指の根元部分（関節部）に対して圧力が小さく、かつ均一となっている事がわかる。すなわち、圧力のピークポイントが存在していない。
【００１７】
又、図１において、第４の平面１０４と他の３つの面が公差する稜線Ｒを含む形状が、エラストマー等の弾性素材部１０５で形成されている事で、手の形に形状が追従する。よって親指の根元部分（関節部）への圧力をさらに小さくする事が可能である。
【００１８】
一方、この弾性素材部１０５は端子カバー１０５ａと一体的に形成される事により、部品点数の増加がない。すなわち、部品点数増によるコストアップなどの弊害もない。
【図面の簡単な説明】
【００１９】
【図１】本発明の実施の形態を示す図である。
【図２】図１の断面形状を示した図
【図３】従来のビデオカメラの外観を示す図
【図４】従来の後方保持部の形状を示す図である。
【図５】図４の断面形状を示した図
【符号の説明】
【００２０】
１０１  底面
１０２  後ろ側面
１０３  横側面
１０４  第４の平面
１０５  弾性素材部
１０５ａ  接続端子カバー
１０６  操作スイッチ
５０１  撮影用レンズ
５０２  ＬＣＤモニタ
５０３  バッテリー取り付け部
５１１  底面
５１２  後ろ側面
５１３  横側面
５１４  操作スイッチ
【図１】
2005338478.tif 000003
【図２】
2005338478.tif 000004
【図３】
2005338478.tif 000005
【図４】
2005338478.tif 000006
【図５】
2005338478.tif 000007
(57)【要約】【課題】従来のナビゲーションでは電子地図がモニター上に表示されナビゲーションが行なわれるが、地図と実際に目にする風景と一致しにくい。そして、ＧＰＳ衛星の電波を受信することが出来ない地下や建物の中ではナビゲーションが不可能である。そこで所定のルートのナビゲーションを動画データで行なうナビゲーションを提供する。【解決手段】デジタルカメラで撮影した画像データに場面転換（１１）、テキストデータ（８）、音声データ（９）を設け、その画像データを動画データ（３）に変換した動画ナビゲーションを特徴とする。【選択図】図１
2005338093.tif 000002
【特許請求の範囲】
【請求項１】
デジタルカメラで撮影した画像データに場面転換、音声データ、文字データを設け、その画像データを動画データに変換した動画ナビゲーション。
【発明の詳細な説明】
【技術分野】
【０００１】  この発明は、画像データに場面転換、音声データ、文字データを設け、その画像データを動画データに変換した動画ナビゲーションに関するものである。
【背景技術】
【０００２】  従来、ナビゲーションシステムは図２が示すようにＧＰＳ衛星（１４）から電波受信して現在位置を求め、ナビゲーション装置（１７）がディスク（１６）より現在位置周辺の地図を読み出し、電子化された地図がモニター上（１８）に表示され、ＧＰＳで計った現在位置（１５）が、電子地図上に落とされてナビゲーションを行なう方法であった。
【発明の開示】
【発明が解決しようとする課題】
【０００３】  これは、次のような欠点があった。
（イ）従来のナビゲーションはモニター上の電子地図と実際に目にする風景と一致しにく      い。
（ロ）ＧＰＳの電波が受信できない建物の中や地下ではナビゲーションが不可能である。
本発明は、以上のような欠点をなくすためになされたものである
【課題を解決するための手段】
【０００４】  デジタルカメラで撮影した画像データに場面転換、音声データ、文字データを設ける。その画像データを動画データに変換する。
本発明は以上の構成よりなる動画ナビゲーションである。
【発明の効果】
【０００５】  デジタルカメラで撮影した画像データを使用することにより実際に見ている風景と一致し、場面変換を使用することにより、前進、曲がるが視覚的に分かりやすくなる。さらに文字データと音声データを設けることにより、画像データだけでなく音声と文字による情報が同時に確認できる。
そして、ＧＰＳが付属していない端末や、ＧＰＳの電波が入らない、建物の中や地下街でも動画再生機能がある端末で所定のルートを提供するナビゲーションが可能である。
【発明を実施するための最良の形態】
【０００６】  以下、本発明を実施するための最良の形態について説明する。
市販のオーサリングソフト（６）を使用する。タイムライン（１２）の時間軸に沿って画像データライン（１０）に所定のルートの目印になるスタート地点（７）、交差点、建物、目的地（１３）等の画像データを読み込み、通過する道順に従って画像データを配置する。直進の場合は画像データに場面転換（１０）のズームアップ加えることによって、前進しているような擬似視覚効果を出す。曲がる場合、曲がる前の画像データから左右からの押し出しの場面転換で曲がった直後の画像を表示させることにより曲がる擬似的視覚効果を出す。
次に画像データに音声データライン（９）とテキストデータライン（８）に音声データと文字データを設けることにより、所定のルートの画像データに沿った形で音声による直進する距離や曲がる方向等をアナウンスした音声データとテキスト表示による交差点名や通りの名前等のテキストデータを配置していく。音声データと文字データを設けた画像データを動画データ（３）に変換する。【０００７】  動画データ（３）は記録メディア（４）での配信だけでなく、サーバ（２）に動画データを送ることにより、インターネット（１）からサーバにアクセスし、サーバ内の動画データを取得することにより、携帯電話（５）の動画再生機能により、所定のルートのナビゲーションを提供する。【０００８】  画像データを用いることによりビデオなどの動画を用いた場合よりもエンコード作業が大幅な時間短縮となり、動画データサイズもコンパクトになる。【０００９】  図１の実施形態では、記憶メディアとインターネットでの配信であったが、他の実施形態では、ブルートゥース使用より、ブルートゥース対応機種への動画データの配信の形態でも良い
【図面の簡単な説明】
【００１０】
【図１】本発明の動画ナビゲーションの実施方法を示した説明図である。
【図２】従来のナビゲーション方法を示した説明図である。
【符号の説明】
【００１１】１    インターネット
２    インターネットサーバ
３    動画データ
４    記録メディア
５    携帯電話
６    オーサリングソフト
７    スタート地点
８    テキストデータライン
９    音声データライン
１０  画像データライン
１１  場面転換
１２  タイムライン
１３  目的地
１４  ＧＰＳ衛星
１５  現在位置
１６  ＤＶＤ−ＲＯＭ等のディスク
１７  ナビゲーション装置
１８  モニター
【図１】
2005338093.tif 000003
【図２】
2005338093.tif 000004
(57)【要約】【課題】  ＦＡＸ受信業務の効率向上を図ることが可能なファクシミリ装置を提供する。【解決手段】  本ファクシミリ装置は、ＳＡＦ管理部１、宛先管理部２、ジョブ制御部３、オペレーション制御部４、記録制御部５、通信制御部６、主制御部７、回線別印刷色切替制御部８を備え、特に、回線別印刷色切替制御部８は、ジョブ制御部３から受信文書の回線情報を入手し、保持している受信回線別の印刷色を決定し、指定の色で印刷受信文書出力を実施する。【選択図】  図１
2005260508.tif 000002
【特許請求の範囲】
【請求項１】
複数の回線から受信した受信文書別に印刷出力するファクシミリ装置であって、前記受信文書の回線情報を入手し、保持している受信回線別の印刷色を決定し、指定の色で印刷受信文書出力を実施する回線別印刷色切替制御部を備えたことを特徴とするファクシミリ装置。
【請求項２】
請求項１記載のファクシミリ装置において、前記回線別印刷色切替制御部による上記制御を実行するか否か選択可能としたことを特徴とするファクシミリ装置。
【発明の詳細な説明】
【技術分野】
【０００１】
本発明は、ファクシミリ装置に関する。
【背景技術】
【０００２】
従来のファクシミリ装置における受信の処理を簡単に説明する（図３参照）。印刷色の指定が、「Ｂｌａｃｋ」で指示されていた場合、回線１で受信した文書、回線２で受信した文書、それぞれの文書の印刷色は、すべて、「Ｂｌａｃｋ」となり、どの回線から受信した文書か、一目ではわからない。特に、複数回線をもつ機器において、それぞれの回線を、部門別あるいは会社別で使い分けているユーザにとっては、受信した文書が、すべて同じ印刷色で印刷されると、文書の仕分けに手間が掛かることになる。
【発明の開示】
【発明が解決しようとする課題】
【０００３】
従来のファクシミリ装置での送信／受信ジョブ等の管理に際しては、１つの受信出力ジョブに対して、１つのジョブファイルと呼ばれるものが割り当てられる。（図４参照）また、従来のファクシミリ装置では、着信順に受信出力のジョブファイルをリンクしていき、先頭の受信出力ファイルから順番に印刷を起動していくようになっている。受信ファイルに対して指示している印刷色については、任意に登録された印刷色を使用して印刷している。
そこで本発明は、ＦＡＸ受信業務の効率向上を図ることが可能なファクシミリ装置を提供することを目的とする。
【課題を解決するための手段】
【０００４】
上記目的を達成するために、請求項１記載の発明は、複数の回線から受信した受信文書別に印刷出力するファクシミリ装置であって、前記受信文書の回線情報を入手し、保持している受信回線別の印刷色を決定し、指定の色で印刷受信文書出力を実施する回線別印刷色切替制御部を備えたことを特徴とする。
請求項２記載の発明は、請求項１記載のファクシミリ装置において、前記回線別印刷色切替制御部による上記制御を実行するか否か選択可能としたことを特徴とする。
【発明の効果】
【０００５】
本発明によれば、回線別に色印刷指定ができることによって、回線別でのＦＡＸ受信文書管理が容易になり、ユーザのＦＡＸ作業（とくに受信）の効率向上を図ることができる。
【発明を実施するための最良の形態】
【０００６】
以下、本発明の実施形態を図面に従って説明する。
図１は本発明の実施の形態に係るファクシミリ装置の機能ブロック図である。本ファクシミリ装置は、ＳＡＦ管理部１、宛先管理部２、ジョブ制御部３、オペレーション制御部４、記録制御部５、通信制御部６、主制御部７、回線別印刷色切替制御部８を備える。
ＳＡＦ管理部１は、ＦＡＸ送受信すべき画情報データ（送信原稿／受信原稿）をストアするメモリ／ＨＤＤ等を管理する。ＳＡＦ内では、各原稿１枚ずつが、論理的に原稿ファイルとして管理されている。
宛先管理部２は、送信すべき相手先の電話番号の管理を行っており、各々の送信宛先の電話番号は、ここで管理されている。
ジョブ制御部３は、ＳＡＦに蓄積された送信原稿の送信起動を行う。また、着信があった場合、受信動作を開始させて、１つの受信ジョブを作成し、また、作成された受信ジョブを基に、受信した原稿の記録紙への印字起動などの、受信ジョブの制御等を行う。また、ジョブ制御部３では、各々のジョブに関連する原稿ファイルの情報、送信すべき相手先の電話番号の宛先情報を持っている。
オペレーション制御部４は、ユーザが操作するオペレーションパネルの制御を行う。
記録制御部５は、受信した原稿を記録する。シアン、マゼンダ、イエロー、ブラックにおいて、各色での単色での書き込みが可能であることが前提である。
通信制御部６（１〜Ｎ）は、通信回線１つに対して、それぞれ対応し、変復調回路（モデム）等を含んだ装置であり、ＦＡＸ送受信データの変調／復調を行う。
主制御部７では、上記各ユニットの統括制御を行う。
回線別印刷色切替制御部８は、ジョブ制御部３から受信文書の回線情報を入手し、保持している受信回線別の印刷色を決定し、指定の色で印刷受信文書出力を実施する。
【０００７】
図２は本発明のファクシミリ装置における動作の説明図である。通信制御部６のいずれかの回線から着信が発生した場合、主制御部７を通してジョブ制御部３に通知され受信出力ジョブが作成される。
通信制御部６により受信動作が行われ、受信した画情報は、ＳＡＦ管理部１に蓄積されていく。受信文書の場合、受信した回線情報を回線別印刷色切替制御部８に伝達し、登録されている回線別の印刷色で印刷することを決定し印刷を行う。
本発明は、任意の印刷色で印刷できることが可能なファシシミリ装置において、回線別に登録された印刷色の指示に従って、回線別の受信文書の印刷を行うことにより、ＦＡＸ受信業務効率を向上させることができる。
また、カラー印刷が可能で、なおかつ複数回線を持つファクシミリ装置において、回線毎に受信印刷時の印刷色を指定できるようにし、ＦＡＸ受信の際に業務効率の向上を図ることができる。
【図面の簡単な説明】
【０００８】
【図１】本発明の実施の形態に係るファクシミリ装置の機能ブロック図である。
【図２】本発明のファクシミリ装置における動作の説明図である。
【図３】一般的な受信印刷動作の説明図である。
【図４】ジョブファイルのリンクの説明図である。
【符号の説明】
【０００９】
１  ＳＡＦ管理部
２  宛先管理部
３  ジョブ制御部
４  オペレーション制御部
５  記録制御部
６  通信制御部
７  主制御部（主制御手段）
８  回線別印刷色切替制御部
【図１】
2005260508.tif 000003
【図２】
2005260508.tif 000004
【図３】
2005260508.tif 000005
【図４】
2005260508.tif 000006
(57)【要約】【課題】インターネットにおけるリンクの仕方は、リンク文字などを読んでどのような情報がリンク先に有るか理解し、はじめて、リンクできる。リンク文字とは、ここには、このような情報がありますよ  と言う案内であり、それ無しには成立しないものである。しかし、文字と対応した論理的なもの以外の経験上例えば、空間認識上など、文字による案内なしで判るものが存在する。それらについても、相変わらずリンク文字や、その案内を現在のインターネットは、記述している。その事は、文字を探さなければ成らない・カーソルを合わせなければ、ならないなど、大きな煩わしさ・ストレスを与えていた。【解決手段】見なくとも判るものには、リンク文字などの意味の有る案内は要らない。本発明のアクセスキーでのリンク方法により、案内なしにリンクする事を解決の手段とする。【選択図】図1
2005260549.tif 000002
【特許請求の範囲】
【請求項１】
携帯電話インターネットにおけるリンクの仕方で、文字や意味の有る案内によってはじめて、そのリンク文字をクリックまたは、アクセスキーを押してリンクする当然の方法を、文字や意味の有る案内なしにアクセスキーを用いてページジャンプするリンク方法
【請求項２】
携帯電話インターネットのモックアップ型サイトにおけるアクセスキー２で、モックアップの元である実存空間の上に対応する、モックアップ型サイトの上ページにジャンプするリンク方法
【請求項３】
携帯電話インターネットのモックアップ型サイトにおけるアクセスキー４で、モックアップの元である実存空間の左に対応する、モックアップ型サイトの左ページにジャンプするリンク方法
【請求項４】
携帯電話インターネットのモックアップ型サイトにおけるアクセスキー６で、モックアップの元である実存空間の右に対応する、モックアップ型サイトの右ページにジャンプするリンク方法
【請求項５】
携帯電話インターネットのモックアップ型サイトにおけるアクセスキー８で、モックアップの元である実存空間の下に対応する、モックアップ型サイトの下ページにジャンプするリンク方法
【請求項６】
携帯電話インターネットのモックアップ型サイトにおけるアクセスキー５で、モックアップの元である実存空間の奥に対応する、モックアップ型サイトの奥のページにジャンプするリンク方法
【請求項７】
携帯電話インターネットのモックアップ型サイトにおけるアクセスキー９で、モックアップの元である実存空間の後に対応する、モックアップ型サイトの後ろのページにジャンプするリンク方法
【発明の詳細な説明】
【技術分野】
【０００１】
携帯電話インターネット情報配信方法に関する、また、携帯電話インターネットのリンク方法であるアクセスキーに関するものである。
【発明の開示】
【発明が解決しようとする課題】
【０００２】
インターネットにおけるリンクの仕方は、リンク文字などを読んでどのような情報がリンク先に有るか理解し、はじめて、リンクできる。リンク文字とは、ここには、このような情報がありますよ  と言う案内であり、それ無しには成立しないものである。しかし、文字と対応した論理的なもの以外の経験上例えば、空間認識上など、文字による案内なしで判るものが存在する。それらについても、相変わらずリンク文字や、その案内を現在のインターネットは、記述している。例えば、新宿区の情報へ、トップへ、次へ、  など、アクセスキーを用いていても、文字や意味の有る案内をそのアクセスキーの説明として、設けていた。それは、利便性に欠け、スムーズな方法ではなかった。
その事は、文字を探さなければ成らない・カーソルを合わせなければ、ならないなど、大きな煩わしさ・ストレスを与えていた。
【課題を解決するための手段】
【０００３】
見なくとも判るものには、リンク文字などの意味の有る案内は要らない。アクセスキーのビジュアル的ボタン配置・構成を利用し、本発明のアクセスキーでのリンク方法により、案内なしにリンクする事を解決の手段とする。
【発明の効果】
【０００４】
アクセスキーを押す事で、知りたい情報のページにジャンプする。
【０００５】
アクセスキーを押すのは、ページの最上部・最下部どこでも、構わないので、リンク文字などの案内を探し読まなくてもよい。
【０００６】
利用者の経験上、例えば、空間認識力などが、向上すれば、より効果を発揮する。
【０００７】
また、煩わしさなどの課題を解決している。
【図面の簡単な説明】
【０００８】
【図１】本発明の一実施例であるところの、携帯電話本体のボタン構成図
【符号の説明】
【０００９】
１  文字情報機能を有する携帯電話のボタン構成図
２  アクセスキー1
３  アクセスキー2
４  アクセスキー3
５  アクセスキー4
６  アクセスキー5
７  アクセスキー6
８  アクセスキー7
９  アクセスキー8
１０  アクセスキー9
１１  アクセスキー0
【図１】
2005260549.tif 000003
(57)【要約】【課題】  本発明はＯＰＴ雲台装置において、ＨＤ−ＳＤＩ信号の減衰を減らし、省スペース、省システム、コストダウンを可能にするものである。【解決手段】  そこで、本発明は、テレビカメラを雲台に取り付け、カメラ動作を遠隔操作する雲台装置において、ＯＰＴ変換機を雲台に内蔵させた構成とした。【選択図】  図１
2005260304.tif 000002
【特許請求の範囲】
【請求項１】
テレビカメラを雲台に取り付け、カメラ動作を遠隔操作する雲台装置において、ＯＰＴ変換機を雲台に内蔵させたことを特徴とするＯＰＴ雲台装置。
【請求項２】
請求項１の雲台装置に着脱自在に出来るＥ／Ｏ変換機プラグイン構造を備えた事を特徴とするＯＰＴ雲台装置。
【請求項３】
請求項１のＯＰＴ雲台装置において、該ＯＰＴ変換機を格納した箇所にサンシェードを取り付けたことを特徴とするＯＰＴ雲台装置。
【発明の詳細な説明】
【技術分野】
【０００１】
本発明は、テレビカメラなどに用いられる雲台装置に関するものである。
【背景技術】
【０００２】
従来、雲台装置のシステムは特許文献１に記載されているように、映像を電気信号に交換して出力する構成となっていた。
【０００３】
屋外仕様の雲台の映像を伝送する上で、光ファイバー伝送を行う際には、ＳＤＩ信号のケーブルで伝送する距離が短い為に、Ｅ／Ｏ変換機を格納した防水箱を雲台に併設し、その中でＥ／Ｏ変換を行い出力するなどをしていた。
【特許文献１】特開平１１−８７９３号
【発明の開示】
【発明が解決しようとする課題】
【０００４】
従来の雲台装置でＯＰＴに対応する際には、
１、ＳＤＩ信号をケーブルでＥ／Ｏ変換機に伝送する間で、信号の減衰が起こってしまう。
【０００５】
２、Ｅ／Ｏ変換機を格納する防水箱を雲台に併設する必要があった為に、設置場所に制限が加わる。
【０００６】
３、該防水箱にかかる設計時間、コストがかかる。
【０００７】
４、Ｅ／Ｏ変換機を外付けする際には、独立したシステムとして構築する為に、雲台装置としてのシステムが煩雑になる。
【０００８】
といった欠点があった。
【０００９】
また、Ｅ／Ｏ変換機が繊細な機構を有するという特徴から、そのメンテナンス性や現在の汎用性に対応する事も課題とされていた。
【００１０】
本発明は前述従来例の欠点を解決し、雲台装置内でＥ／Ｏ変換を行いＯＰＴ出力する事が出来、なおかつメンテナンス性や現状の光ファイバーに対する汎用性にも対応する事のできるＯＰＴ雲台装置を提供する事を目的とする。
【課題を解決するための手段】
【００１１】
上記目的を解決するための本出願にかかわる第一の発明は、Ｅ／Ｏ変換器を小型化し雲台部に内蔵、する事を特徴とする。上記によりＳＤＩ信号をケーブルで伝送する距離が短い為、信号の減衰を少なくする事が出来る。また、従来設けていた防水箱を削除できる事で、省スペース、省システム、コストダウンにおいて効果がある。
【００１２】
第二の発明は、Ｅ／Ｏ変換部をユニット化し、Ｅ／Ｏ変換機プラグイン構造を備えたことを特徴とする。上記によりＥ／Ｏ変換器を雲台から容易に着脱出来る為、Ｅ／Ｏ変換器のメンテナンスを解体無に行う事が出来る。また、光ファイバー出力とＨＤ−ＳＤＩ出力の交換が容易に行える為、雲台装置の汎用性でも効果がある。
【発明の効果】
【００１３】
以上説明したように、本発明はＯＰＴ雲台装置において、Ｅ／Ｏ変換器を内蔵することで、ＨＤ−ＳＤＩ信号の減衰を減らし、省スペース、省システム、コストダウンを可能にするものである。また、ボトムサンシェードを取り付けることにより、太陽光によるＥ／Ｏ変換器内蔵部の温度上昇を軽減し、電気パーツ等の保護を可能にするものである。
【発明を実施するための最良の形態】
【００１４】
（実施例）
（第１の実施例）
本発明を図１〜２に示す実施例に基づいて説明する。図１は雲台台座部の断面であり、台座１は挿入口８を備えており、ＨＤ−ＳＤＩコネクター２を有する構造体３を保持している。Ｅ／Ｏ変換器４はＨＤ−ＳＤＩコネクター５及び光ファイバーコネクター６を備える筐体７と結合されている。以上の構成において筐体７を挿入口８から引き出す事で、ＨＤ−ＳＤＩコネクター２及び５は容易に着脱される。
また、ＨＤ−ＳＤＩコネクター２及び５の着脱をより安全に行う為に、位置決めピンやレールなどを利用しても良い。
【００１５】
図２はＯＰＴ雲台の外観図であり、台座１にボトムサンシェード９を備えている。サンシェード使用により太陽光による台座内部の温度上昇が軽減され、電気パーツ等の保護が可能となる。
【図面の簡単な説明】
【００１６】
【図１】第一の実施例の台座部断面図である。
【図２】第一の実施例のＯＰＴ雲台装置外観図である。
【符号の説明】
【００１７】
１  台座
２  ＨＤ−ＳＤＩコネクター
３  構造体
４  Ｅ／Ｏ変換器
５  ＨＤ−ＳＤＩコネクター
６  光ファイバーコネクター
７  筐体
８  挿入口
９  サンシェード
【図１】
2005260304.tif 000003
【図２】
2005260304.tif 000004
(57)【要約】【課題】  液体状の耳垢や外耳道内に分泌される油などの液状物質が補聴器の内部に侵入するのを防止することができる液状物質の侵入防止構造を備えた補聴器を提供する。【解決手段】  耳あな形補聴器１の音口に、紙又は不織布製のフィルタ１１からなる耳垢防止チップ５を設けた。紙又は不織布製のフィルタ１１は、液体状の耳垢や外耳道内に分泌される油などの液状物質の吸収に優れているので、液状物質が耳あな形補聴器１の内部に侵入するのを防止する。また、フィルタ１１の中心部に孔１１ａを開けることにより、液状物質を吸収したフィルタ１１が目詰まりした場合でも、孔１１ａより音を出すことができる。【選択図】        図１
2005260824.tif 000002
【特許請求の範囲】
【請求項１】
補聴器の音口に、紙又は不織布製のフィルタからなる耳垢防止チップを設けたことを特徴とする液状物質の侵入防止構造を備えた補聴器。
【請求項２】
前記フィルタの中心部に孔を開けた請求項１記載の液状物質の侵入防止構造を備えた補聴器。
【発明の詳細な説明】
【技術分野】
【０００１】
本発明は、液体状の耳垢や外耳道内に分泌される油などの液状物質が補聴器の内部に侵入するのを防止する液状物質の侵入防止構造を備えた補聴器に関する。
【背景技術】
【０００２】
耳あな形補聴器では、補聴器が外耳道に挿入される時に、その先端が掻き取った外耳道の壁部に付着していた耳垢が、音口から補聴器内部に侵入しないように音口にフィルタの役割を果たす多数の細かな孔を開けた交換可能な耳垢防止チップを取り付けている（例えば、特許文献１参照）。
【０００３】
【特許文献１】特開平７−１３１８９８号公報
【発明の開示】
【発明が解決しようとする課題】
【０００４】
特許文献１に記載のように、音口に多数の細かな孔を開けたフィルタからなる耳垢防止チップを取り付ければ、固形物の耳垢が補聴器の内部へ侵入するのを防ぐことができる。
しかし、液体状の耳垢や外耳道内に分泌される油などの液状物質は、耳垢防止チップを通過して補聴器の内部へ侵入し、出力音の調整を行う音響ダンパのメッシュ部を詰まらせ、その結果補聴器から音が出なくなり、更にイヤホンなどの故障原因になるという問題がある。
【０００５】
そして、この音響ダンパは補聴器の使用者が交換することができないため、音響ダンパに液体状の耳垢や外耳道内に分泌される油などの液状物質が詰まる度に、補聴器販売店などに音響ダンパの交換を依頼しなければならず、手間と時間を要していた。
【０００６】
本発明は、従来の技術が有するこのような問題点に鑑みてなされたものであり、その目的とするところは、液体状の耳垢や外耳道内に分泌される油などの液状物質が補聴器の内部に侵入するのを防止することができる液状物質の侵入防止構造を備えた補聴器を提供しようとするものである。
【課題を解決するための手段】
【０００７】
上記課題を解決すべく請求項１に係る発明は、補聴器の音口に、紙又は不織布製のフィルタからなる耳垢防止チップを設けたものである。
【０００８】
請求項２に係る発明は、請求項１記載の液状物質の侵入防止構造を備えた補聴器において、前記フィルタの中心部に孔を開けた。
【発明の効果】
【０００９】
以上説明したように請求項１に係る発明によれば、紙又は不織布製のフィルタが液体状の耳垢や外耳道内に分泌される油などの液状物質を吸収するので、それらが補聴器の内部へ侵入するのを防止することができ、音響ダンパのメッシュ部が詰まる可能性が低くなる。
【００１０】
請求項２に係る発明によれば、紙又は不織布製のフィルタが液体状の耳垢や外耳道内に分泌される油などの液状物質を吸収して詰まった場合でも、孔より音を出すことができる。
【発明を実施するための最良の形態】
【００１１】
以下に本発明の実施の形態を添付図面に基づいて説明する。ここで、図１は本発明に係る液状物質の侵入防止構造を備えた補聴器の斜視図、図２は同じく断面図である。なお、図１及び図２は補聴器の一部を表している。
【００１２】
本発明に係る液状物質の侵入防止構造を備えた補聴器は、図１及び図２に示すように、耳あな形補聴器１を構成するシェル部材２の端部に音口としての開口部３を開け、開口部３に筒部材４を嵌合させ、筒部材４に着脱自在な耳垢防止チップ５を装着している。なお、６はイヤホン、７はイヤホンチューブ、８は音響ダンパである。
【００１３】
耳垢防止チップ５は、円筒状のチップ本体１０と、チップ本体１０の開口部を塞ぐようにチップ本体１０のほぼ真中に張設されたフィルタ１１からなる。フィルタ１１は、液体状の耳垢や外耳道内に分泌される油などの液状物質の吸収に優れた紙又は不織布で形成されている。また、フィルタ１１の中心部には、孔１１ａが開けられている。
【００１４】
以上のように構成された本発明に係る液状物質の侵入防止構造を備えた補聴器の作用について説明する。
装用者が耳あな形補聴器１を外耳道に挿入する際又は装用中に、液体状の耳垢や外耳道内に分泌される油などの液状物質が耳垢防止チップ５に侵入すると、液状物質は紙又は不織布製のフィルタ１１に吸収される。
【００１５】
従って、液体状の耳垢や外耳道内に分泌される油などの液状物質が、フィルタ１１を通過してイヤホンチューブ７内に設けられた音響ダンパ８のメッシュ部に到達することはない。
【００１６】
更に、液体状の耳垢や外耳道内に分泌される油などの液状物質がフィルタ１１に吸収され、フィルタ１１が目詰まりしたとしても、フィルタ１１の中心部に孔１１ａが開けられているので、イヤホン６が出す音は孔１１ａを通って外耳道に至るため、耳あな形補聴器１としての機能を損なうことはない。
【００１７】
また、耳垢防止チップ５は交換可能であるから、フィルタ１１が目詰まりした場合には、補聴器販売店などに交換を依頼することなく、使用者自身で交換することができる。
【産業上の利用可能性】
【００１８】
本発明によれば、液体状の耳垢や外耳道内に分泌される油などの液状物質が耳垢防止チップに侵入しても、液状物質は紙又は不織布製のフィルタに吸収されるので、液状物質が補聴器の内部に侵入するのを防止することができ、補聴器販売店などに音響ダンパの交換を依頼する必要がなくなり、補聴器の使い勝手がよくなって補聴器の普及が図られる。
【図面の簡単な説明】
【００１９】
【図１】本発明に係る液状物質の侵入防止構造を備えた補聴器の斜視図
【図２】本発明に係る液状物質の侵入防止構造を備えた補聴器の断面図
【符号の説明】
【００２０】
１…耳あな形補聴器、２…シェル部材、３…開口部、４…筒部材、５…耳垢防止チップ、６…イヤホン、７…イヤホンチューブ、８…音響ダンパ、１０…チップ本体、１１…フィルタ、１１ａ…孔。
【図１】
2005260824.tif 000003
【図２】
2005260824.tif 000004
(57)【要約】【課題】スピーカーユニットを具備する平板を組み立てることにより、輸送時の嵩ばりの軽減と、自立が可能な曲面の形状を有する組立式板状音響装置を得る。【解決手段】一枚の弾力性を有する平板とスピーカーユニットと複数個のボルト等をキットにして使用時に組立てる手段を採用した。弾力性を有する平板に孔と切り込みを設け使用時にキットを組立てる考え方を採用することで輸送時の嵩ばりが軽減され、又、弾力性を有する平板を組立てることで自立する曲面の形状を得ることができる。【選択図】    図３
2005260422.tif 000002
【特許請求の範囲】
【請求項１】
弾力性を有する一枚の平板に、スピーカーユニットを具備するための大孔ニケ所、組立時固定させるボルト等を通す小孔数ケ所を設け、大孔の三方を囲むように切り込み部分を設け、できた一部分を除いて組立てる事を目的とし、該平板とスピーカーユニットと複数個のボルト等のキットから成る組立て式を特徴とする板状音響装置。
【請求項２】
前記、請求項１で示したキットを組立てた祭にできる平板の曲面の形状によって自立が可能になることを特徴とする組立式板状音響装置。
【請求項３】
前記、請求項１で示したキットを組立てた祭に、平板を引っ張ることで生じた緊張にスピーカーユニットからの振動が伝わることを特徴とする請求項１、請求項２に記載の組立式板状音響装置。  
【請求項４】
前記説明の平板については、弾力性を有する素材であれば、木、プラスティック、金属等使用可能な請求項１、請求項２及び請求項３に記載の組立式板状音響装置。  
【発明の詳細な説明】
【技術分野】
【０００１】
本発明は組立式板状音響装置に関するものでる。
【背景技術】
【０００２】
現在、一般的に使用されている音響装置のほとんどはスピーカーユニットが内臓され、組立てられものであって輸送時は嵩ばって扱いにくいという課題が残されている。
【０００３】
又、板状で考案された特許文献１の軽量型ボードスピーカーにおいては壁に設置するものであって任意の場所に置いて使用できない課題が残るし、一方特許文献２、特許文献３で提案されている音響装置ではスピーカーユニットからの振動の伝達を考える時、キャビネットの素材や形状に重点をおいたものとなっていて、引っ張ることによってできる緊張した平板に伝えるものではない。
【０００４】
【特許文献１】特開２００３２５９４７３号公報
【特許文献２】特開平５１６８０７６号公報
【特許文献３】特開２０００３５０２７７号公報
【発明の開示】
【発明が解決しようとする課題】
【０００５】
本発明は、組立式の考え方を取り入れることで、輸送時の嵩ばりを軽減するとともに、組立ることによってできる曲面の形状により自立する、音響装置を得ることを目的としたものである。
【課題を解決するための手段】
【０００６】
本発明の課題は一枚の弾力性を有する平板とスピーカーユニットと複数個のボルト等をキットにして使用時に組立てることで解決できる。本発明の組立式板状音響装置は、弾力性を有する一枚の平板に、スピーカーユニットを具備するための大孔ニケ所、組立時固定させるボルト等を通す小孔数ケ所を設け、大孔の三方を囲むように切り込み部分を設け、できた一部分を除いて組立てる事を目的とし、該平板とスピーカーユニットと複数個のボルト等のキットから成る組立て式の手段を採用した。さらに、組立てた祭、スピーカーユニットを具備した箇所を引っ張ることで生じた平板の緊張に、スピーカーユニットからの振動が伝わるという手段も採用した。
【発明の効果】
【０００７】
本発明の組立式板状音響装置によれば、一枚の弾力性を有する平板とスピーカーユニットと複数個のボルト等をキットにして使用時に組立てる考え方をしているので、輸送時の嵩張りが軽減され、又、組立てた祭にできる曲面の形状によって自立が可能になるため、任意の場所に置くことができる、さらに組立てる祭に引っ張られてできる該平板の緊張にスピーカーユニットの振動を伝達させることができる。        
【発明を実施するための最良の形態】
【０００８】
本発明の組立式板状音響装置について、図１乃至図３を参照しながら説明する。組立式板状音響装置は、弾力性のある一枚の平板とスピーカーユニットと複数個のボルト等のキットからできていて、図１は平板に設けられる孔と切り込みの説明図であって３１は弾力性を有する平板、１〜２はスピーカーユニットを具備するための大孔、３は組立てた時に曲面の形状を得るために除く部分、４〜１１はスピーカーユニットをボルト等で平板に固定するための小孔、２０〜２５は平板を組立てる時、平板を重ねて固定するためにボルト等を通す小孔である。
【０００９】
板状音響装置は、組立式になっているのでキットのスピーカーユニットは図２の１３〜１９で示した複数個のボルト等で平板に固定され、又切り込むことでできた平板を重ねて図２の２６〜２８で示した複数個のボルト等で固定することで、図３で示したように曲面の形状が生まれ、自立する。ボルト等の位置は図４、図５の断面図にもその状態が示されている。
【００１０】
組立式板状音響装置のスピーカーユニットをボルト等を使って組み立てた様子は図２、図３でその状態が示されている。
【００１１】
組立式板状音響装置の平板をボルト等を使って組み立てた祭、平板の形状は図３で示すように自立可能な曲面の形状になるよう考えられていて、図４、図５の断面図にその状態が示されている。
【００１２】
組立式板状音響装置を組み立てる祭、平板を切り込むことでできた図１の３の部分を除いて、図２の２６〜２８の位置で平板を重ねて組立て固定することにより、スピーカーユニット付近の平板が緊張し、スピーカーユニットからの振動が該平板の緊張部分に伝わる。
【図面の簡単な説明】
【００１３】
【図１】本発明の組立式板状音響装置に入る穴及び切り込みを示す説明図である。
【図２】本発明の組立式板状音響装置を組み立てた祭、スピーカーユニット及び平板を固定して成る形状がわかる正面図である。
【図３】本発明の組立式板状音響装置を組み立てた祭にできる自立する形状がわかる全体構造を示す斜視図である。
【図４】図３で示す３２の水平方向の断面図である。
【図５】図３で示す３３の垂直方向の断面図である。
【符号の説明】
【００１４】
１・２      スピーカーユニットを具備するための大孔    
３          平板を組み立てる時に除く部分
４〜１１    スピーカーユニットを固定するボルト等を通すための小孔
１２〜１９  スピーカーユニットを固定するボルト等
２０〜２５  平板を組み立てる時に固定するボルト等を通すための小孔
２６〜２８  平板を組み立てる時に固定するボルト等
２９〜３０  平板に固定したスピーカーユニット
３１        弾力性を有する平板
３２        図３で示す水平方向の断面位置
３３        図３で示す垂直方向の断面位置
【図１】
2005260422.tif 000003
【図２】
2005260422.tif 000004
【図３】
2005260422.tif 000005
【図４】
2005260422.tif 000006
【図５】
2005260422.tif 000007